(57)【要約】【課題】複数段階の加熱量の設定表示を、少ない個数の単灯ランプを用い、且つ単灯ランプの消費電力を抑えて行うことができる加熱調理器を提供することを目的とする。【解決手段】表示制御手段は、火力確認表示器を構成する単灯ＬＥＤ５０ａ〜５０ｅのうち、いずれか１個の単灯ＬＥＤのみを点灯又は点滅させて、他の全ての単灯ＬＥＤを消灯状態とした異なる表示状態が、火力１〜火力９の９段階の火力に、火力が増加するに従って点灯又は点滅状態となる単灯ＬＥＤが左端の単灯ＬＥＤ５０ａから右端の単灯ＬＥＤ５０ｅにむかってシフトするように予め割り当てられた表示パターンにより、火力１〜火力９の９段階の表示を５個の単灯ＬＥＤ５０ａ〜５０ｅにより行う。【選択図】  図４
2006284027.tif 000002
【特許請求の範囲】
【請求項１】
調理物を加熱する加熱手段と、該加熱手段の加熱量を複数段階に切替える加熱量切換手段と、該加熱手段の加熱量の増加及び減少を指示するための加熱量増減スイッチと、該加熱量増減スイッチの操作に応じて、前記加熱手段の加熱量を前記加熱量切換手段により前記複数段階のいずれかに設定する加熱量制御手段と、前記加熱手段の加熱量の設定状態を表示する加熱量表示手段と、前記加熱手段の加熱量の設定状態に応じて前記加熱量表示手段の表示を制御する表示制御手段とを備えた加熱調理器において、
前記加熱量表示手段は、前記複数段階の段階数よりも少ない個数の単灯ランプであり、
前記加熱量表示制御手段は、前記複数段階の各加熱量に対して、前記単灯ランプのうちの何れか１個のみが点灯して他の全ての単灯ランプが消灯した状態と、前記単灯ランプのうちのいずれか１個のみが点滅して他の全ての単灯ランプが消灯した状態とのうちのいずれかが、各加熱量に対する表示状態が相違するように予め割り当てられた表示パターンに従って、前記加熱量表示手段の表示を変更することを特徴とする加熱調理器。
【請求項２】
前記加熱量表示手段は、単灯ランプを一列に並べて構成され、
前記表示パターンは、前記加熱手段の加熱量の増加に従って、点灯状態にある単灯ランプを点滅状態に切替えるパターンと、点滅状態にある単灯ランプを点灯状態に切替えるパターンと、点灯状態又は点滅状態にある単灯ランプを消灯して前記一列の一端から他端に向く方向に隣接する単灯ランプを点灯状態又は点滅状態とするパターンとのうちのいずれかのパターンにより、前記加熱量表示手段の表示状態を変更すると共に、前記加熱手段の加熱量の減少に従って、点灯状態にある単灯ランプを点滅状態に切替えるパターンと、点滅状態にある単灯ランプを点灯状態に切替えるパターンと、点灯状態又は点滅状態にある単灯ランプを消灯して前記他端から前記一端に向く方向に隣接する単灯ランプを点灯状態又は点滅状態とするパターンとのうちのいずれかのパターンにより、前記加熱量表示手段の表示状態を変更するものであることを特徴とする請求項１記載の加熱調理器。
【請求項３】
調理物を加熱する加熱手段と、該加熱手段の加熱量を複数段階に切替える加熱量切換手段と、該加熱手段の加熱量の増加及び減少を指示するための加熱量増減スイッチと、該加熱量増減スイッチの操作に応じて、前記加熱手段の加熱量を前記加熱量切換手段により前記複数段階のいずれかに設定する加熱量制御手段と、前記加熱手段の加熱量の設定状態を表示する加熱量表示手段と、前記加熱手段の加熱量の設定状態に応じて前記加熱量表示手段の表示を制御する加熱量表示制御手段とを備えた加熱調理器において、
前記加熱量表示手段は、前記複数段階の段階数よりも少ない個数の単灯ランプであり、
前記加熱量表示制御手段は、前記複数段階の各加熱量に対して、前記単灯ランプのうちの何れか１個のみが第１の輝度で点灯して他の全ての単灯ランプが消灯した状態と、前記単灯ランプのうちのいずれ１個のみが該第１の輝度よりも低い第２の輝度で点灯して他の全ての単灯ランプが消灯した状態とのうちのいずれかが、各加熱量に対する表示状態が相違するように予め割り当てられた表示パターンに従って、前記加熱量表示手段の表示を変更することを特徴とする加熱調理器。
【請求項４】
前記加熱量表示手段は、単灯ランプを一列に並べて構成され、
前記表示パターンは、前記加熱手段の加熱量の増加に従って、前記第１の輝度で点灯した状態にある単灯ランプを前記第２の輝度で点灯した状態に切替えるパターンと、前記第２の輝度で点灯した状態にある単灯ランプを前記第１の輝度で点灯した状態に切替えるパターンと、前記第１の輝度又は前記第２の輝度で点灯した単灯ランプを消灯して前記一列の一端から他端に向く方向に隣接する単灯ランプを前記第１の輝度又は前記第２の輝度で点灯した状態とするパターンとのうちのいずれかのパターンにより、前記加熱量表示手段の表示状態を変更すると共に、前記加熱手段の加熱量の減少に従って、前記第１の輝度で点灯した状態にある単灯ランプを前記第２の輝度で点灯した状態に切替えるパターンと、前記第２の輝度で点灯した単灯ランプを前記第１の輝度で点灯した状態に切替えるパターンと、前記第１の輝度又は前記第２の輝度で点灯した単灯ランプを消灯して前記他端から前記一端に向く方向に隣接する単灯ランプを前記第１の輝度又は前記第２の輝度で点灯した状態とするパターンとのうちのいずれかのパターンにより、前記加熱量表示手段の表示状態を変更するものであることを特徴とする請求項３記載の加熱調理器。
【請求項５】
電源として電池を備え、
前記単灯ランプは、該電池から供給される電力により点灯することを特徴とする請求項１から請求項４のうちいずれか１項記載の加熱調理器。
【発明の詳細な説明】
【技術分野】
【０００１】
本発明は、加熱量の増減を指示するスイッチと、加熱量の設定状態を表示する表示手段とを備えた加熱調理器に関する。
【背景技術】
【０００２】
従来より、例えば、ガスバーナにより調理物を加熱するガスコンロにおいては、調理器に対する加熱量を調節するためのスイッチが設けられ、使用者による該スイッチの操作に応じてガスバーナの火力を変更するように構成されている。
【０００３】
そして、加熱量を調節するためのスイッチとして、加熱量の増加を指示するスイッチと加熱量の減少を指示するスイッチを備え、これらのスイッチの操作に応じてガスバーナの火力を複数段階に切換えるようにしたガスコンロにおいては、バーナの火力がいずれの段階に設定されているかを使用者が確認できるようにするために、火力の設定状態をランプにより表示するようにしていた（例えば、特許文献１参照）。
【０００４】
ここで、バーナの火力の設定状態を表示する手段としては、図６（ａ）に示したように、火力の設定段階の段階数（火力１〜火力５の５段階）と同一個数（５個）の単灯ランプ９０ａ〜９０ｅを設けて、火力の設定状態に応じて対応する点灯ランプを点灯させるものがある。しかし、この場合は、火力の設定段階の段階数分の個数の単灯ランプを備える必要があり、火力の設定段階の段階数が多いときには、単灯ランプの配置スペースが増大すると共に単灯ランプのコストも増加するとう不都合がある。
【０００５】
そこで、図６（ｂ）に示したように、単灯ランプを２個点灯させた状態を用いることで、表示可能な火力の設定段階数を増加させる（５段階→９段階）ことができる。しかし、この場合には、単灯ランプを２個点灯させた状態（図中、火力２、火力４、火力６、火力８）において、単灯ランプの点灯による消費電力が大きくなるという不都合がある。
【特許文献１】特開２０００−１７９８６１号公報
【発明の開示】
【発明が解決しようとする課題】
【０００６】
本発明は上記不都合を解消し、複数段階の加熱量の設定表示を、少ない個数の単灯ランプを用い、且つ単灯ランプの消費電力を抑えて行うことができる加熱調理器を提供することを目的とする。
【課題を解決するための手段】
【０００７】
本発明は上記目的を達成するためになされたものであり、調理物を加熱する加熱手段と、該加熱手段の加熱量を複数段階に切替える加熱量切換手段と、該加熱手段の加熱量の増加及び減少を指示するための加熱量増減スイッチと、該加熱量増減スイッチの操作に応じて、前記加熱手段の加熱量を前記加熱量切換手段により前記複数段階のいずれかに設定する加熱量制御手段と、前記加熱手段の加熱量の設定状態を表示する加熱量表示手段と、前記加熱手段の加熱量の設定状態に応じて前記加熱量表示手段の表示を制御する加熱量表示制御手段とを備えた加熱調理器の改良に関する。
【０００８】
そして、本発明の第１の態様は、前記加熱量表示手段は、前記複数段階の段階数よりも少ない個数の単灯ランプであり、前記加熱量表示制御手段は、前記複数段階の各加熱量に対して、前記単灯ランプのうちの何れか１個のみが点灯して他の全ての単灯ランプが消灯した状態と、前記単灯ランプのうちのいずれか１個のみが点滅して他の全ての単灯ランプが消灯した状態とのうちのいずれかが、各加熱量に対する表示状態が相違するように予め割り当てられた表示パターンに従って、前記加熱量表示手段の表示を変更することを特徴とする。
【０００９】
かかる本発明によれば、前記加熱量表示制御手段は、前記単灯ランプのうちの何れか１個のみが点灯して他の全ての単灯ランプが消灯した状態と、前記単灯ランプのうちのいずれか１個のみが点滅して他の全ての単灯ランプが消灯した状態とのうちのいずれかにより、前記複数段階の各加熱量の設定状態を前記加熱量表示手段により表示する。この場合、前記複数段階の段階数をＮとすると、前記単灯ランプはＮ／２（Ｎが偶数のとき）個又はＮ／２（少数点以下切捨て）＋１（Ｎが奇数のとき）個だけ前記単灯ランプを備えればよい。
【００１０】
そのため、前記複数段階の段階数分だけ前記単灯ランプを備える必要がないため、前記単灯ランプの個数を減少させて、前記単灯ランプの配置スペースと前記単灯ランプのコストを減少させることができる。さらに、点灯又は点滅する単灯ランプは常に１個のみであるため、前記加熱量表示手段により加熱量の設定状態を表示するときの前記単灯ランプの消費電力を抑制することができる。
【００１１】
また、前記加熱量表示手段は、単灯ランプを一列に並べて構成され、前記表示パターンは、前記加熱手段の加熱量の増加に従って、点灯状態にある単灯ランプを点滅状態に切替えるパターンと、点滅状態にある単灯ランプを点灯状態に切替えるパターンと、点灯状態又は点滅状態にある単灯ランプを消灯して前記一列の一端から他端に向く方向に隣接する単灯ランプを点灯状態又は点滅状態とするパターンとのうちのいずれかのパターンにより、前記加熱量表示手段の表示状態を変更すると共に、前記加熱手段の加熱量の減少に従って、点灯状態にある単灯ランプを点滅状態に切替えるパターンと、点滅状態にある単灯ランプを点灯状態に切替えるパターンと、点灯状態又は点滅状態にある単灯ランプを消灯して前記他端から前記一端に向く方向に隣接する単灯ランプを点灯状態又は点滅状態とするパターンとのうちのいずれかのパターンにより、前記加熱量表示手段の表示状態を変更するものであることを特徴とする。
【００１２】
かかる本発明によれば、前記表示パターンは、点灯又は点滅する単灯ランプが、前記加熱手段の加熱量の増加に従って前記一列の一端から他端へと順次シフトすると共に、前記加熱手段の減少に従って逆方向に順次シフトするものとなる。これにより、使用者にとって前記加熱手段の加熱量の増減の推移が視認し易い表示とすることができる。
【００１３】
また、本発明の第２の態様は、前記加熱量表示手段は、前記複数段階の段階数よりも少ない個数の単灯ランプであり、前記加熱量表示制御手段は、前記複数段階の各加熱量に対して、前記単灯ランプのうちの何れか１個のみが第１の輝度で点灯して他の全ての単灯ランプが消灯した状態と、前記単灯ランプのうちのいずれ１個のみが該第１の輝度よりも低い第２の輝度で点灯して他の全ての単灯ランプが消灯した状態とのうちのいずれかが、各加熱量に対する表示状態が相違するように予め割り当てられた表示パターンに従って、前記加熱量表示手段の表示を変更することを特徴とする。
【００１４】
かかる本発明によれば、前記加熱量表示制御手段は、前記単灯ランプのうちの何れか１個のみが前記第１の輝度で点灯して他の全ての単灯ランプが消灯した状態と、前記単灯ランプのうちのいずれか１個のみが前記第２の輝度で点灯して他の全ての単灯ランプが消灯した状態とのうちのいずれかにより、前記複数段階の各加熱量の設定状態を前記加熱量表示手段により表示する。この場合、前記複数段階の段階数をＮとすると、前記単灯ランプはＮ／２（Ｎが偶数のとき）個又はＮ／２（少数点以下切捨て）＋１（Ｎが奇数のとき）個だけ前記単灯ランプを備えればよい。
【００１５】
そのため、前記複数段階の段階数分だけ前記単灯ランプを備える必要がないため、前記単灯ランプの個数を減少させて、前記単灯ランプの配置スペースと前記単灯ランプのコストを減少させることができる。さらに、点灯する単灯ランプは１個のみであるため、前記加熱量表示手段により加熱量の設定状態を表示するときの前記単灯ランプの消費電力を抑制することができる。
【００１６】
また、前記加熱量表示手段は、単灯ランプを一列に並べて構成され、前記表示パターンは、前記加熱手段の加熱量の増加に従って、前記第１の輝度で点灯した状態にある単灯ランプを前記第２の輝度で点灯した状態に切替えるパターンと、前記第２の輝度で点灯した状態にある単灯ランプを前記第１の輝度で点灯した状態に切替えるパターンと、前記第１の輝度又は前記第２の輝度で点灯した単灯ランプを消灯して前記一列の一端から他端に向く方向に隣接する単灯ランプを前記第１の輝度又は前記第２の輝度で点灯した状態とするパターンとのうちのいずれかのパターンにより、前記加熱量表示手段の表示状態を変更すると共に、前記加熱手段の加熱量の減少に従って、前記第１の輝度で点灯した状態にある単灯ランプを前記第２の輝度で点灯した状態に切替えるパターンと、前記第２の輝度で点灯した単灯ランプを前記第１の輝度で点灯した状態に切替えるパターンと、前記第１の輝度又は前記第２の輝度で点灯した単灯ランプを消灯して前記他端から前記一端に向く方向に隣接する単灯ランプを前記第１の輝度又は前記第２の輝度で点灯した状態とするパターンとのうちのいずれかのパターンにより、前記加熱量表示手段の表示状態を変更するものであることを特徴とする。
【００１７】
かかる本発明によれば、前記表示パターンは、前記第１の輝度又は前記第２の輝度で点灯する単灯ランプが、前記加熱手段の加熱量の増加に従って前記一列の一端から他端へと順次シフトすると共に、前記加熱手段の減少に従って逆方向に順次シフトするものとなる。これにより、使用者にとって前記加熱手段の加熱量の増減が視認し易い表示とすることができる。
【００１８】
また、前記本発明の第１の態様及び第２の態様において、電源として電池を備え、前記単灯ランプは、該電池から供給される電力により点灯することを特徴とする。
【００１９】
かかる本発明によれば、電池駆動式の加熱調理器においては消費電力の低減に対する要求が高いため、前記加熱量表示手段の消費電力を低減することにより、特に大きな効果を得ることができる。
【発明を実施するための最良の形態】
【００２０】
本発明の実施の形態について、図１〜図５を参照して説明する。図１は本発明の加熱調理器であるガスコンロの外観図、図２は図１に示したガスコンロの構成図、図３は図１に示した火力調節子付近の詳細図、図４及び図５は火力確認表示器の点灯パターンの説明図である。
【００２１】
図１に示したガスコンロは、システムキッチンのカウンタトップに組み込むドロップイン式コンロであり、コンロ本体１には、本発明の加熱手段である中バーナ３ａ、大バーナ３ｂ、小バーナ３ｃ、及びグリル４（図２に示した上バーナ３ｄ及び下バーナ３ｅを備える）が配置されている。そして、天板２には、中バーナ３ａ，大バーナ３ｂ，小バーナ３ｃを臨ませる開口がそれぞれ形成され、各開口を囲うように五徳５が載置されている。また、天板２の後部には、グリル４用の排気口１０が形成されている。なお、中バーナ３ａには、その内周空間に位置して、五徳５に載置される調理容器の底面に当接してその温度を検出する鍋底温度センサ１５が付設されている。
【００２２】
コンロ本体１の前面には、グリル扉４ａとその左右に配された操作パネル６ａ，６ｂとが設けられている。そして、右側の操作パネル６ａには、中バーナ３ａ用の操作子７ａ、大バーナ３ｂ用の操作子７ｂ、小バーナ３ｃ用の操作子７ｃ、中バーナ３ａ用の火力確認表示器５０、大バーナ３ｂ用の火力確認表示器５１、小バーナ３ｃ用の火力確認表示器５２、電源ランプ４７を内蔵した電源スイッチ４０、及び中バーナ３ａとグリル４の加熱モードや加熱温度の設定等を行う各種操作スイッチと表示部とを有する引き出し式のコントロールパネル８ａが配置されている。
【００２３】
また、左側の操作パネル６ｂには、グリル４用の操作子７ｄ、グリル４用の火力確認表示器５３、電池交換ランプ４８、及び電池収容部９が配置されている。なお、火力確認表示器５０，５１，５２，５３は、本発明の加熱量表示手段に相当する。
【００２４】
操作子７（７ａ，７ｂ，７ｃ，７ｄ）は、円筒状であって、ロータリーエンコーダ（図２参照）にプッシュプッシュ機構を組み込んで構成されている。操作子７は、常時は後方の没入位置（図中、操作子７ｄの状態）に所在し、該没入位置から使用者の操作により一度押し込まれると、プッシュプッシュ機構の働きにより前方の突出位置（図中、操作子７ａ，７ｂ，７ｃの状態）に前進する。そして、操作子７の突出位置への前進がリミットスイッチ（図２参照）により検出され、突出位置での操作子７の回転操作がロータリーエンコーダにより検出される。なお、操作子７（７ａ，７ｂ，７ｃ，７ｄ）は、本発明の加熱量増減スイッチに相当する。
【００２５】
次に、図２を参照して、中バーナ３ａは、ガス供給管２０から分岐した分岐管２１ａと連通し、分岐管２１ａを介して燃料ガスが供給される。そして、分岐管２１ａには、中バーナ３ａに対する燃料ガスの供給／遮断を切替える電磁開閉弁２２ａと、中バーナ３ａに対する燃料ガスの供給流量を変更するための流量調節弁２３ａとが設けられている。また、中バーナ３ａに臨ませて、燃焼炎を検出する熱電対２４ａと点火電極２５ａとが設けられ、中バーナ３ａの中心部に鍋底温度センサ１５が設けられている。
【００２６】
同様に、大バーナ３ｂと連通した分岐管２１ｂには、電磁開閉弁２２ｂと流量調節弁２３ｂとが設けられ、大バーナ３ｂに臨ませて、熱電対２４ｂと点火電極２５ｂが設けられている。また、小バーナ３ｃと連通した分岐管２１ｃには、電磁開閉弁２２ｃと流量調節弁２３ｃとが設けられ、小バーナ３ｃに臨ませて、熱電対２４ｃと点火電極２５ｃとが設けられている。
【００２７】
また、グリル４の上バーナ３ｄと下バーナ３ｅに連通したガス供給管２０には、電磁開閉弁２２ｄと流量調節弁２３ｄとが設けられ、上バーナ３ｄに臨ませて、熱電対２４ｄと点火電極２５ｄとが設けられている。また、下バーナ３ｅに臨ませて、熱電対２４ｅ，２４ｆと点火電極２５ｅ，２５ｆとが設けられ、さらに、グリル４の内部温度を検出するサーミスタ２６が設けられている。
【００２８】
なお、流量調節弁２３（２３ａ，２３ｂ，２３ｃ，２３ｄ）は、ステッピングモータによりその開度が制御される電動式の可変弁であり、ステッピングモータの制御位置により複数段階の開度が設定される。また、点火電極２５（２５ａ，２５ｂ，２５ｃ，２５ｅ，２５ｆ）はイグナイタ４５と接続され、イグナイタ４５から印加される高電圧により火花放電を生じて、各バーナに点火する。
【００２９】
メイン基板３０は、マイクロコンピュータ等により構成されて各バーナの作動を制御する。メイン基板３０には、熱電対２４（２４ａ，２４ｂ，２４ｃ，２４ｄ，２４ｅ，２４ｆ）の検出信号と、電源スイッチ４０の操作信号と、操作子７（７ａ，７ｂ，７ｃ，７ｄ）にそれぞれ備えられたリミットスイッチ４３（４３ａ，４３ｂ，４３ｃ，４３ｄ）の検出信号と、操作子７（７ａ，７ｂ，７ｃ，７ｄ）にそれぞれ備えられたロータリーエンコーダ４１（４１ａ，４１ｂ，４１ｃ，４１ｄ）の検出信号と、コントロールパネル６（６ａ，６ｂ）に備えられたスイッチの操作信号とが入力される。
【００３０】
また、メイン基板３０から出力される制御信号により、電磁開閉弁２２（２２ａ，２２ｂ，２２ｃ，２２ｄ）と、流量調節弁２３（２３ａ，２３ｂ，２３ｃ，２３ｄ）と、イグナイタ４５と、電源保持スイッチ４４と、電源ランプ４７と、電池交換ランプ４８と、火力確認表示器５０，５１，５２，５３の作動が制御される。
【００３１】
メイン基板３０には、各バーナの加熱量（燃焼量）を制御する加熱量制御手段３１と、火力確認表示器５０，５１，５２，５３の点灯状態を制御する表示制御手段３２と、ブザー３５とが備えられている。
【００３２】
図３を参照して、中バーナ３ａ用の火力確認表示器５０は、操作パネル６ａの中バーナ３ａ用の操作子７ａが設けられた箇所の上側に、５個の単灯ＬＥＤ５０ａ，５０ｂ，５０ｃ，５０ｄ，５０ｅを円弧状に１列に並べて配置されている。同様に、大バーナ３ｂ用の火力確認表示器５１は、大バーナ３ｂ用の操作子７ｂの上側に、５個の単灯ＬＥＤ５１ａ，５１ｂ，５１ｃ，５１ｄ，５１ｅを円弧状に１列に並べて配置されている。
【００３３】
また、小バーナ３ｃ用の火力確認表示器５２は、小バーナ３ｃ用の操作子７ｃの上側に、５個の単灯ＬＥＤ５２ａ，５２ｂ，５２ｃ，５２ｄ，５２ｅを円弧状に１列に並べて配置されている。なお、図示しないが、グリル４用の火力確認表示器５３も、他の火力確認表示器５０，５１，５２と同様に、グリル用操作子７ｄの上側に、５個の単灯ＬＥＤを円弧状に１列に並べて配置されている。
【００３４】
次に、中バーナ３ａ用の操作子７ａが操作されたときの中バーナ３ａの作動と、中バーナ３ａ用の火力確認表示器５０の点灯の制御について説明する。なお、大バーナ３ｂの作動と大バーナ３ｂ用の火力確認表示器５１の点灯の制御、小バーナ３ｃの作動と小バーナ３ｃ用の火力確認表示器５２の点灯の制御、及びグリル４の作動とグリル４用の火力確認表示器５３の点灯の制御は、中バーナ３ａの場合と同様であるので、説明を省略する。
【００３５】
先ず、使用者が中バーナ３ａ用の操作子７ａを没入位置まで押し込むと、リミットスイッチ４３ａがＯＮする。そして、加熱量制御手段３１は、リミットスイッチ４３ａからのＯＮ信号を入力すると、イグナイタ４５に高電圧を印加してイグナイタ２５ａに火花放電を生じさせた状態で、電磁開閉弁２２ａを開弁すると共に流量調節弁２３ａの開度を点火位置として、中バーナ３ａの点火処理を行う。
【００３６】
そして、熱電対２４ａの出力信号により中バーナ３ａの着火を検知した後、加熱量制御手段３１は、使用者による中バーナ用の操作子７ａの回転操作に応じてエンコーダ４１ａから出力される信号を受信したときに、中バーナ３ａの火力を火力１（最小火力）から火力９（最大火力）の９段階に切替える。
【００３７】
ここで、火力１から火力９の切換は、流量調節弁２３ａのステッピングモータを予め設定された位置（９箇所）に回転作動させて、可変弁の開度を変更することによって行われる。また、操作子７ａは、所定角度回転させる度にクリック感が得られるように構成されており、加熱量制御手段３１は、使用者が操作子７ａを右方向に該所定角度回転させたとき、中バーナ３ａの火力を１段階大きくし、使用者が操作子７ａを左方向に該所定角度回転させたときに、中バーナ３ａの火力を１段階小さくする。
【００３８】
そして、表示制御手段３２は、図４（ａ）に示したように、中バーナ３ａの火力に応じて、中バーナ３ａ用の火力確認表示器５０（単灯ＬＥＤ５０ａ〜５０ｅ）の表示状態を切替える。なお、単灯ＬＥＤ５０ａ〜５０ｅは、図３に示したように、実際には円弧状に一列に配置されているが、図４（ａ）及び後述する図４（ｂ）においては、説明の簡素化のため直線状に配置して示している。
【００３９】
火力１では、単灯ＬＥＤ５０ａのみを点灯状態とし、他の単灯ＬＥＤ５０ｂ〜５０ｅを消灯状態とする。火力２では、単灯ＬＥＤ５０ｂのみを点滅状態とし、他の単灯ＬＥＤ５０ａ，５０ｃ〜５０ｅを消灯状態とする。火力３では、単灯ＬＥＤ５０ｂのみを点灯状態とし、他の単灯ＬＥＤ５０ａ，５０ｃ〜５０ｅを消灯状態とする。
【００４０】
火力４では、単灯ＬＥＤ５０ｃのみを点滅状態とし、他の単灯ＬＥＤ５０ａ，５０ｂ，５０ｄ，５０ｅを全て消灯状態とする。火力５では、単灯ＬＥＤ５０ｃのみを点灯状態とし、他の単灯ＬＥＤ５０ａ，５０ｂ，５０ｄ，５０ｅを全て消灯状態とする。火力６では、単灯ＬＥＤ５０ｄのみを点滅状態とし、他の単灯ＬＥＤ５０５０ａ，５０ｂ，５０ｃ，５０ｅを全て消灯状態とする。
【００４１】
火力７では、単灯ＬＥＤ５０ｄのみを点灯状態とし、他の単灯ＬＥＤ５０ａ，５０ｂ，５０ｃ，５０ｅを全て消灯状態とする。火力８では、単灯ＬＥＤ５０ｅのみを点滅状態とし、他の単灯ＬＥＤ５０ａ，５０ｂ，５０ｃ，５０ｄを全て消灯状態とする。火力９では、単灯ＬＥＤ５０ｄのみを点灯状態とし、他の単灯ＬＥＤ５０ａ，５０ｂ，５０ｃ，５０ｄを全て消灯状態とする。なお、図４（ａ）に示した各火力段階に応じた単灯ＬＥＤ５０ａ〜５０ｅの表示パターンが、本発明の「各加熱量に対する表示状態が相違するように予め割り当てられた表示パターン」に相当する。
【００４２】
このように、各単灯ＬＥＤを消灯状態／点灯状態／点滅状態という３つの状態に切替えることにより、火力１〜火力９という９段階の火力の設定状態を、段階数よりも少ない５個の単灯ＬＥＤ５０ａ〜５０ｅにより区別して表示することができる。この場合、段階数分の９個の単灯ＬＥＤを配置した場合よりも、必要な単灯ＬＥＤの個数が少なくなるため、火力確認表示部５０が占める面積を減少させることができると共に、火力確認表示部５０のコストを低減することができる。
【００４３】
さらに、図４（ａ）に示した点灯パターンにおいては、点灯又は点滅している単灯ＬＥＤの個数が１個であるため、単灯ＬＥＤを２個以上表示させて火力の設定状態を表示する場合よりも、火力確認表示部５０の消費電力を低減することができる。そして、本実施の形態のガスコンロは電池４２を電源として作動するものであるため、このように、火力確認表示部５０の消費電力を低減することで、電池４２の消耗を抑制することができる。
【００４４】
なお、火力確認表示部５０において、１個の単灯ＬＥＤのみを点灯又は点滅状態とし、他の全ての単灯ＬＥＤを消灯状態として、中バーナ３ａの火力の設定状態（火力１〜火力９）を表示するパターンとしては、図４（ａ）に示したものの他に、図４（ｂ）、図５（ａ）、図５（ｂ）に示したように種々のパターンを用いることができる。
【００４５】
また、本実施の形態では、火力確認表示器５０を構成する各単灯ＬＥＤを、消灯／点灯／点滅という３つの状態に切替えたが、単灯ＬＥＤの輝度を２段階に切替える手段を備えて、各単灯ＬＥＤを、消灯／第１の輝度／第２の輝度（＜第１の輝度）という３つの状態に切替えるようにしてもよい。この場合の表示パターンは、図４（ａ）、図４（ｂ）、図５（ａ）、図５（ｂ）における点灯状態を第１の輝度での点灯状態に置き換え、点滅状態を第２の輝度での点灯状態に置き換えたものとなる。
【００４６】
また、本実施の形態では、図４（ａ），図４（ｂ），図５（ａ），図５（ｂ）に示したように、火力の増加に従って、単灯ＬＥＤの点灯状態と点滅状態を切換えるパターンと、点灯又は点滅状態にあった単灯ＬＥＤを消灯して右隣の単灯ＬＥＤを点灯又は点滅させるパターンとにより、火力確認表示器５０の表示状態を変更した。また、火力の減少に従って、単灯ＬＥＤの点灯状態と点滅状態を切替えるパターンと、点灯又は点滅状態にあった単灯ＬＥＤを消灯して左隣の単灯ＬＥＤを点灯又は点滅させるパターンとにより、火力確認表示器５０の表示状態を変更した。
【００４７】
そして、これにより、点灯又は点滅させる単灯ＬＥＤを左端から右端（火力増加時）及び右端から左端（火力減少時）に向かってシフトさせることで、火力の増減を視認し易くしたが、他のパターンによりいずれかの単灯ＬＥＤを点灯又は点滅させるようにしてもよい。単灯ＬＥＤを消灯状態／第１の輝度による点灯状態／第２の輝度による点灯状態に切替える場合も同様である。
【００４８】
また、本実施の形態では、本発明の加熱調理器としてガスコンロを示したが、加熱手段による加熱量を複数段階に切替え、加熱量の設定に応じた表示を行う機能を有する加熱調理器であれば、本発明の適用が可能である。
【００４９】
また、本実施の形態では、本発明の加熱量増減スイッチとして、回転操作により加熱量の増減を指示する操作子７（７ａ，７ｂ，７ｃ，７ｄ）を備えたが、押し圧操作により加熱量の増加を指示するスイッチ（ＵＰスイッチ及びＤＯＷＮスイッチ）を備えてもよい。
【図面の簡単な説明】
【００５０】
【図１】本発明の加熱調理器であるガスコンロの外観図。
【図２】図１に示したガスコンロの構成図。
【図３】図１に示した火力調節子付近の詳細図。
【図４】火力確認表示器の点灯パターンの説明図。
【図５】火力確認表示器の点灯パターンの説明図。
【図６】従来の加熱調理器における火力確認表示器の点灯パターンの説明図。
【符号の説明】
【００５１】
１…コンロ本体、２…天面、３…グリル、４…グリル、７…操作子、２２…電磁開閉弁、２３…流量調節弁、３０…メイン基板、３１…加熱量制御手段、３２…表示制御手段、４２…電池、５０，５１，５２，５３…火力確認表示器（単灯ＬＥＤ）
【図１】
2006284027.tif 000003
【図２】
2006284027.tif 000004
【図３】
2006284027.tif 000005
【図４】
2006284027.tif 000006
【図５】
2006284027.tif 000007
【図６】
2006284027.tif 000008